(57)【要約】【課題】高い移動操作性を維持しつつ、コードのコード収納部に対する巻き付けと巻き戻しを作業性良く行うことができる集塵機を提供すること。【解決手段】モータ６と該モータ６によって回転駆動される集塵ファン７を備えたヘッド部２と、該ヘッド部２が上面開口部に着脱可能に装着されるタンク３と、コード１１を巻き付けて収納するコード収納部１２を備えた集塵機１において、持ち運び位置と格納位置を取り得るハンドル１７を設け、該ハンドル１７が格納位置にあるときに前記コード収納部１２の周囲に該ハンドル１７が位置しないよう構成する。例えば、ヘッド部２にコード収納部１２を設けるとともに、タンク３に伸縮可能なハンドル１７を設け、該ハンドル１７が格納位置にあるときにその自由端がコード収納部１２の下方に位置するよう構成する。【選択図】図１
2008284241.tif 000002
【特許請求の範囲】
【請求項１】
モータと該モータによって回転駆動される集塵ファンを備えたヘッド部と、該ヘッド部が上面開口部に着脱可能に装着されるタンクと、コードを巻き付けて収納するコード収納部を備えた集塵機において、
持ち運び位置と格納位置を取り得るハンドルを設け、該ハンドルが格納位置にあるときに前記コード収納部の周囲に該ハンドルが位置しないよう構成したことを特徴とする集塵機。
【請求項２】
前記ヘッド部に前記コード収納部を設けるとともに、前記タンクに伸縮可能なハンドルを設け、該ハンドルが格納位置にあるときにその自由端が前記コード収納部の下方に位置するようにしたことを特徴とする請求項１記載の集塵機。
【請求項３】
前記ハンドルを前記タンクの上部又は下部に回動可能に設けたことを特徴とする請求項２記載の集塵機。
【請求項４】
前記ヘッド部に前記コード収納部を設けるとともに、前記タンクの下部にハンドルを回動可能に設け、該ハンドルを前記タンク内の下部に格納可能としたことを特徴とする請求項１記載の集塵機。
【請求項５】
前記ハンドルを伸縮可能としたことを特徴とする請求項４記載の集塵機。
【請求項６】
前記ハンドルを前記タンクのホース接続口とは反対側に設けたことを特徴とする請求項１〜５の何れかに記載の集塵機。
【請求項７】
前記ヘッド部に前記コード収納部を設けるとともに、前記ヘッド部にハンドルを回動可能に設け、該ハンドルを前記ヘッド部内に格納可能としたことを特徴とする請求項１記載の集塵機。
【請求項８】
前記ヘッド部に前記コード収納部を設けるとともに、前記タンクに可撓性ハンドルを設け、該可撓性ハンドルをタンクの外周に巻き付けて格納することを特徴とする請求項１記載の集塵機。
【請求項９】
前記タンクの下端に回転部材を設けたことを特徴とする請求項１〜８の何れかに記載の集塵機。
【請求項１０】
前記回転部材を複数設け、少なくともハンドル側の回転部材の軸直角方向の回転を規制したことを特徴とする請求項９記載の集塵機。
【請求項１１】
反ハンドル側の回転部材を軸直角方向に回転可能としたことを特徴とする請求項９又は１０記載の集塵機。
【請求項１２】
スイッチパネル及びリモコン受信部を反ハンドル側に設けたことを特徴とする請求項１〜１１の何れかに記載の集塵機。
【発明の詳細な説明】
【技術分野】
【０００１】
本発明は、持ち運び用のハンドルを備えた集塵機に関するものである。
【背景技術】
【０００２】
一般に集塵機は、モータによって回転駆動される集塵ファンによって空気を吸引し、吸引された空気に含まれる粉塵をフィルタで分離してタンク内に回収するものであって、粉塵を溜めるタンクと、該タンクの上面開口部に被着されたヘッド部を備えている。
【０００３】
ところで、斯かる集塵機が使用される環境としては、家庭以外に建築現場やリフォーム現場等があり、建築現場等での電動工具による切断、切削、研削等の作業によって周囲に飛散した粉塵を回収する用途に供される比較的大型の集塵機も知られている。このように大型の集塵機は、盗難防止等のために作業終了後に毎日自動車で持ち帰るのが一般的であるが、作業現場によっては駐車場や空きスペース等の問題のために現場近くまで自動車を乗り入れることができない場合も多い。
【０００４】
従来の集塵機は、タンクの下端に設けられた複数のキャスタによって床面上を移動することができるが、この移動に際してはヘッド部の上部に設けられた把手を手で押し、キャスタを転がしながら本体を移動させることが行われている。
【０００５】
ところが、上述のようにヘッド部の上部に設けられた把手を手で押して集塵機を移動させる作業は、把手の高さが低いために押しづらく、疲労も大きいという問題がある。
【０００６】
そこで、集塵機のタンク又はヘッド部にハンドルを設け、このハンドルを操作して楽な姿勢で集塵機を移動させる提案がなされている。
【０００７】
即ち、特許文献１には、スライドハンドルをタンク又はヘッド部に上下動可能に設け、集塵機を移動させる場合にはスライドハンドルを押し上げて使用し、不使用時にはスライドハンドルを押し下げ、その下端に被着されたゴム等の弾性体を床面等に押し当ててストッパとして機能させる提案がなされている。
【０００８】
又、特許文献２には、伸縮可能な手引きハンドルを掃除機本体に前後方向に回動可能に軸支し、吸引作業を中断及び再開する際に吸込ホースや延長管等を手引きハンドルに対して容易且つ短時間に保持及び取り出すことができるようにした提案がなされている。
【０００９】
更に、特許文献３には、本体の走行制御を行う走行制御装置と、本体外に延出可能で且つ格納可能なハンドルと、該ハンドルの格納状態を検知する検知スイッチを有し、検知スイッチの検知結果に基づいて走行制御装置の動作モードを切り換える自走式掃除機が提案されている。
【特許文献１】特開２００６−２５４９９５号公報
【特許文献２】特開２００６−０４３２６４号公報
【特許文献３】特許第３０１９５２０号公報
【発明の開示】
【発明が解決しようとする課題】
【００１０】
ところで、集塵機にはコードを巻き付けて収納する凹状のコード収納部がヘッド部に設けられているが、特許文献１に提案された構成では、スライドハンドルを押し下げた状態においても該スライドハンドルがコード収納部の高さよりも高い位置にあるため、コードをコード収納部に巻き付けて収納したり、コード収納部に収納されたコードを引き出す際にスライドハンドルが邪魔になり、コードの巻き取りと引き出しを作業性良く行うことができないという問題がある。
【００１１】
又、特許文献２，３には、コード収納部とハンドルとの関係については言及されていない。
【００１２】
本発明は上記問題に鑑みてなされたもので、その目的とする処は、高い移動操作性を維持しつつ、コードのコード収納部に対する巻き付けと引き出しを作業性良く行うことができる集塵機を提供することにある。
【課題を解決するための手段】
【００１３】
上記目的を達成するため、請求項１記載の発明は、モータと該モータによって回転駆動される集塵ファンを備えたヘッド部と、該ヘッド部が上面開口部に着脱可能に装着されるタンクと、コードを巻き付けて収納するコード収納部を備えた集塵機において、持ち運び位置と格納位置を取り得るハンドルを設け、該ハンドルが格納位置にあるときに前記コード収納部の周囲に該ハンドルが位置しないよう構成したことを特徴とする。
【００１４】
請求項２記載の発明は、請求項１記載の発明において、前記ヘッド部に前記コード収納部を設けるとともに、前記タンクに伸縮可能なハンドルを設け、該ハンドルが格納位置にあるときにその自由端が前記コード収納部の下方に位置するようにしたことを特徴とする。
【００１５】
請求項３記載の発明は、請求項２記載の発明において、前記ハンドルを前記タンクの上部又は下部に回動可能に設けたことを特徴とする。
【００１６】
請求項４記載の発明は、請求項１記載の発明において、前記ヘッド部に前記コード収納部を設けるとともに、前記タンクの下部にハンドルを回動可能に設け、該ハンドルを前記タンク内の下部に格納可能としたことを特徴とする。
【００１７】
請求項５記載の発明は、請求項４記載の発明において、前記ハンドルを伸縮可能としたことを特徴とする。
【００１８】
請求項６記載の発明は、請求項１〜５の何れかに記載の発明において、前記ハンドルを前記タンクのホース接続口とは反対側に設けたことを特徴とする。
【００１９】
請求項７記載の発明は、請求項１記載の発明において、前記ヘッド部に前記コード収納部を設けるとともに、前記ヘッド部にハンドルを回動可能に設け、該ハンドルを前記ヘッド部内に格納可能としたことを特徴とする。
【００２０】
請求項８記載の発明は、請求項１記載の発明において、前記ヘッド部に前記コード収納部を設けるとともに、前記タンクに可撓性ハンドルを設け、該可撓性ハンドルをタンクの外周に巻き付けて格納することを特徴とする。
【００２１】
請求項９記載の発明は、請求項１〜８の何れかに記載の発明において、前記タンクの下端に回転部材を設けたことを特徴とする。
【００２２】
請求項１０記載の発明は、請求項９記載の発明において、前記回転部材を複数設け、少なくともハンドル側の回転部材の軸直角方向の回転を規制したことを特徴とする。
【００２３】
請求項１１記載の発明は、請求項９又は１０記載の発明において、反ハンドル側の回転部材を軸直角方向に回転可能としたことを特徴とする。
【００２４】
請求項１２記載の発明は、請求項１〜１１の何れかに記載の発明において、スイッチパネル及びリモコン受信部を反ハンドル側に設けたことを特徴とする。
【発明の効果】
【００２５】
請求項１記載の発明によれば、集塵機の移動に際してはハンドルを持ち運び位置に位置させ、このハンドルを手で持って押し或は引いて集塵機を楽な姿勢で移動させることができる。そして、集塵機を移動させた後にハンドルを格納位置に戻せば、該ハンドルをコンパクトにして格納することができるが、この格納状態においてコード収納部の周囲にハンドルが位置しないため、コード収納部に対するコードの巻き付け及び巻き戻しにハンドルが邪魔になることがなく、コードを作業性良く巻き付けて収納し、或はコードを作業性良く引き出して電源に差し込むことができる。
【００２６】
請求項２記載の発明によれば、集塵機の移動に際してタンクに設けられたハンドルを引き伸ばし、このハンドルを操作して集塵機を楽な姿勢で移動させることができる。そして、ハンドルを縮めてこれを格納すれば、該ハンドルの自由端（上端）がコード収納部の下方に位置するため、コード収納部に対するコードの巻き付け及び巻き戻しにハンドルが邪魔になることがなく、コードを作業性良く巻き付け或は取り出すことができる。
【００２７】
請求項３記載の発明によれば、伸縮可能なハンドルをタンクの上部又は下部に回動可能に設けたため、集塵機の移動に際してハンドルを引き伸ばすとともに回動させて操作し易い角度に傾ければ、このハンドルを操作して集塵機を楽な姿勢で移動させることができる。そして、ハンドルを縮めてこれを元の格納位置まで回動させて戻せば、該ハンドルの自由端（上端）がコード収納部の下方に位置するため、コード収納部に対するコードの巻き付け及び巻き戻しにハンドルが邪魔になることがなく、コードを作業性良く巻き付け或は取り出すことができる。
【００２８】
請求項４記載の発明によれば、タンクの下部にハンドルを回動可能に設けたため、集塵機の移動に際してハンドルを回動させて操作し易い角度に傾ければ、このハンドルを操作して集塵機を楽な姿勢で移動させることができる。そして、ハンドルを元の格納位置まで回動させてタンク内の下部に収納すれば、コード収納部に対するコードの巻き付け及び巻き戻しにハンドルが邪魔になることがないため、コードを作業性良く巻き付け或は取り出すことができる。
【００２９】
請求項５記載の発明によれば、タンクの下部に回動可能且つ格納可能に設けられたハンドルを伸縮可能としたため、集塵機の移動に際してハンドルを引き伸ばすことによって集塵機を一層楽な姿勢で移動させることができる。
【００３０】
請求項６記載の発明によれば、ハンドルをタンクのホース接続口とは反対側に設けたため、タンクのホース接続口に接続されたダクトホースとハンドルとが干渉することがなく、これらのダクトホースとハンドルの機能が害されることがない。
【００３１】
請求項７記載の発明によれば、ヘッド部にハンドルを回動可能に設け、該ハンドルをヘッド部内に格納可能としたため、集塵機の移動に際してハンドルを回動させて操作し易い角度に傾ければ、このハンドルを操作して集塵機を楽な姿勢で移動させることができる。そして、ハンドルを元の格納位置まで回動させてヘッド部内の下部に収納すれば、コード収納部に対するコードの巻き付け及び巻き戻しにハンドルが邪魔になることがないため、コードを作業性良く巻き付け或は取り出すことができる。
【００３２】
請求項８記載の発明によれば、ヘッド部にコード収納部を設けるとともに、タンクにロープ等の可撓性ハンドルを設け、該可撓性ハンドルをタンクの外周に巻き付けて格納するようにしたため、集塵機の移動に際しては、タンクの外周に巻き付けて格納されていた可撓性ハンドルを取り出してこれを引くことによって集塵機を楽な姿勢で移動させることができる。そして、可撓性ハンドルをタンクの外周に巻き付けて格納すれば、コード収納部に対するコードの巻き付け及び巻き戻しに可撓性ハンドルが邪魔になることがないため、コードを作業性良く巻き付け或は取り出すことができる。
【００３３】
請求項９記載の発明によれば、タンクの下端にキャスタ等の回転部材を設けたため、集塵機の移動を小さな力でスムーズに行うことができる。
【００３４】
請求項１０記載の発明によれば、少なくともハンドル側の回転部材の軸直角方向の回転を規制したため、集塵機の移動時の直進性が高められる。
【００３５】
請求項１１記載の発明によれば、反ハンドル側の回転部材を軸直角方向に回転可能としたため、集塵機の移動時のコーナリング性が高められる。
【００３６】
請求項１２記載の発明によれば、スイッチパネル及びリモコン受信部を反ハンドル側に設けたため、遠隔操作によってスイッチをＯＮ／ＯＦＦして集塵機を起動／停止させることができる。
【発明を実施するための最良の形態】
【００３７】
以下に本発明の実施の形態を添付図面に基づいて説明する。
【００３８】
＜実施の形態１＞
図１は本発明の実施の形態１に係る集塵機の一部を破断して示す側面図、図２は同集塵機の同集塵機の背面図、図３は同集塵機の平面図である。
【００３９】
本実施の形態に係る集塵機１は、ヘッド部２の下方にドラム状のタンク３を設け、該タンク３の下面に回転部材である計３つのキャスタ４，５を設けて構成され、これらのキャスタ４，５によって床面上を自由に移動することができる。
【００４０】
上記ヘッド部２内には、図１に示すように、中心部にモータ６が縦方向に配置されており、該モータ６から垂直下方に延びる出力軸（モータ軸）６ａには集塵ファン７が直結されている。又、ヘッド部２には、モータ６を起動・停止するためのスイッチが設けられたスイッチパネル８と不図示のリモコン受信部及び空気を排出する排出口９が設けられており、頂部には図２に示すように把手１０が設けられている。更に、ヘッド部２のタンク３との境である下端部外周には、コード１１を巻き付けて収納するための凹状のコード収納部１２が形成されている。
【００４１】
他方、前記タンク３は有底円筒状に成形されており、その内部にはフィルタ１３が収容され、側部にはダクトホース１４を接続するためのホース接続口１５が設けられている。そして、該タンク３の上面開口部にヘッド部２が着脱可能に装着されており、ヘッド部２は、クランプ１６を操作することによってタンク３に対してワンタッチで簡単に着脱される。又、前述のようにタンク３の下部には回転可能な３つのキャスタ４，５が設けられているが、ホース接続口１５側（図１の左側）に設けられた１つのキャスタ４は、軸直角方向に回転可能（つまり、水平方向に３６０°自由に回転可能）に支持され、ホース接続口１５とは反対側（図１の右側）に設けられた２つのキャスタ５は、軸直角方向の回転を規制されている。
【００４２】
ところで、タンク３のホース接続口１５とは反対側には、上下に伸縮可能な逆Ｕ字状のハンドル１７が設けられている。ここで、ハンドル１７は、タンク３に固設された左右一対のパイプ材１７ａに逆Ｕ字状のパイプ材１７ｂを上方から差し込んで構成されており、パイプ材１７ｂはパイプ材１７ａに対して上下動可能であって、不図示の係止手段によって任意の高さ位置で係止されて固定される。
【００４３】
以上のように構成された集塵機１を用いて清掃作業を行う場合には、ハンドル１７は図１及び図３に鎖線にて示すように縮められて格納位置にあり、その高さが低く抑えられて自由端（上端）はヘッド部２のコード収納部１２の下方に位置している。この状態で、ヘッド部２のコード収納部１２に巻き付けられていたコード１１を引き出し、その端部に取り付けられた電源プラグを不図示のコンセントに差し込むが、前述のようにハンドル１７の自由端（上端）はコード収納部１２の下方に位置しているため、コード１１の引き出しにハンドル１７が邪魔になることがなく、コード１１を作業性良く引き出してこれを使用することができる。
【００４４】
而して、上記状態で、スイッチパネル８に設けられた起動・停止スイッチをＯＮするか、或は不図示のリモコン装置から発せられた起動信号をヘッド部２に設けられた不図示のリモコン受信部が受信すると、モータ６が起動されて該モータ６の出力軸６ａとこれに直結された集塵ファン７が所定の速度で回転し、タンク３内に吸引力（負圧）が発生し、ダクトホース１４から粉塵が空気と共にタンク３内に吸引される。
【００４５】
そして、タンク３内に空気と共に吸引された粉塵は、タンク３の内周面に沿って旋回しながら一部が自重で落下してタンク３内の底部に溜るが、タンク３内の底部に落下しなかった粉塵は、フィルタ１３によって濾過されて空気と分離され、空気のみがフィルタ１３を通過して排出口９から外部へと排出され、分離された粉塵はフィルタ１３の周面に付着する。
【００４６】
以上の清掃作業を繰り返すことによってタンク２内の底部に溜った粉塵を廃棄するときには、クランプ１６によるヘッド部２の固定を解除した後、把手１０を持ってヘッド部２を上方へ持ち上げてこれをタンク３から取り外し、タンク３ごと横に倒して該タンク３内の底部に溜った粉塵を廃棄する。
【００４７】
而して、清掃作業が終了すると、コード１１の端部に取り付けられた電源プラグをコンセントから抜き取って該コード１１をヘッド部２のコード収納部１２に巻き付けて収納するが、このときもハンドル１７の自由端（上端）はコード収納部１２の下方に位置しているため、コード１１の巻き付けにハンドル１７が邪魔になることがなく、コード１１を作業性良く巻き付けてこれを収納することができる。
【００４８】
その後、集塵機１を移動させる場合には、ハンドル１７を図１及び図３に実線にて示すようにコード収納部１２よりも上方の持ち運び位置まで引き伸ばし、このハンドル１７を操作して集塵機１を楽な姿勢で移動させることができる。この場合、タンク３の下端にキャスタ４，５を設けたため、集塵機１の移動を小さな力でスムーズに行うことができる。そして、ハンドル１７側の２つのキャスタ５の軸直角方向の回転を規制したため、集塵機１の移動時の直進性が高められる。又、ハンドル１７とは反対側の１つのキャスタ４を軸直角方向に回転可能としたため、集塵機１の移動時のコーナリング性が高められる。
【００４９】
又、本実施の形態では、ハンドル１７をタンク３のホース接続口１５とは反対側に設けたため、タンク３のホース接続口１５に接続されたダクトホース１４とハンドル１７とが干渉することがなく、これらのダクトホース１４とハンドル１７の機能が害されることがない。
【００５０】
＜実施の形態２＞
次に、本発明の実施の形態２を図４に基づいて説明する。
【００５１】
図４は本発明の実施の形態２に係る集塵機の側面図であり、本図においては図１〜図３に示したものと同一要素には同一符号を付しており、以下、それらについての再度の説明は省略する。
【００５２】
本実施の形態は、伸縮可能なハンドル１７をタンク３の上部に回動支点１８を中心として回動可能に設けたことを特徴とし、他の構成は前記実施の形態１に係る集塵機１のそれと同じである。
【００５３】
而して、ハンドル１７が格納位置にあるときには、該ハンドル１７は図４に鎖線にて示すように縮められた状態でタンク３に沿って折り畳まれており、このとき、該ハンドル１７はヘッド部２のコード収納部１２の下方に位置している。従って、この状態でコード収納部１２に巻き付けられたコード１１を引き出したり、コード１１をコード収納部１２に巻き付ける際にハンドル１７が邪魔になることがなく、コード１１を作業性良く巻き付け或は取り出すことができる。
【００５４】
そして、集塵機１を移動させる場合には、格納位置にあるハンドル１７を回動支点１８を中心として図４の実線位置まで矢印方向に持ち運び位置まで回動させて起立させるとともに、上方へ引き伸ばせば、作業者はハンドル１７を操作して集塵機１を楽な姿勢で移動させることができる。
【００５５】
＜実施の形態３＞
次に、本発明の実施の形態３を図５に基づいて説明する。
【００５６】
図５は本発明の実施の形態３に係る集塵機の側面図であり、本図においても図１〜図３に示したものと同一要素には同一符号を付しており、以下、それらについての再度の説明は省略する。
【００５７】
本実施の形態は、伸縮可能なハンドル１７をタンク３の下部に回動支点１８を中心として回動可能に設けたことを特徴とし、他の構成は前記実施の形態２に係る集塵機１のそれと同じである。
【００５８】
而して、ハンドル１７が格納位置にあるときには、該ハンドル１７は図５に鎖線にて示すように縮められた状態でタンク３に沿って折り畳まれて起立しており、このとき、該ハンドル１７の自由端（上端）はヘッド部２のコード収納部１２の下方に位置している。従って、この状態でコード収納部１２に巻き付けられたコード１１を引き出したり、コード１１をコード収納部１２に巻き付ける際にハンドル１７が邪魔になることがなく、コード１１を作業性良く巻き付け或は取り出すことができる。
【００５９】
そして、集塵機１を移動させる場合には、格納位置にあるハンドル１７を回動支点１８を中心として図５の実線位置にて示す持ち運び位置まで矢印方向に所定角度だけ回動させて傾けるとともに、上方へ引き伸ばせば、作業者はハンドル１７を操作して集塵機１を楽な姿勢で移動させることができる。尚、図示しないが、回動支点１８にはハンドル１７を任意の角度位置で係止して固定するための係止手段が設けられている。
【００６０】
＜実施の形態４＞
次に、本発明の実施の形態４を図６に基づいて説明する。
【００６１】
図６は本発明の実施の形態４に係る集塵機の側面図であり、本図においては図１〜図３に示したものと同一要素には同一符号を付しており、以下、それらについての再度の説明は省略する。
【００６２】
本実施の形態は、ハンドル１７をタンク３の下部に回動支点１８を中心として回動可能に設けるとともに、該ハンドル１７を水平状態として回動支点１８と共にタンク３内の下部に格納することができるように構成したことを特徴としており、他の構成は前記実施の形態３に係る集塵機１のそれと同じである。
【００６３】
而して、ハンドル１７が格納位置にあるときには、該ハンドル１７は図６に鎖線にて示すように水平な状態でタンク３内の下部に格納される。このようにハンドル１７を使用しない場合には、該ハンドル１７をタンク３内の下部に格納するようにしたため、コード収納部１２に対するコード１１の巻き付け及び巻き戻しにハンドル１７が邪魔になることがなく、コード１１を作業性良く巻き付け或は取り出すことができる。又、集塵作業中においてもハンドル１７が外部に露出することがないため、該ハンドル１７が集塵作業の邪魔になることがない。
【００６４】
そして、集塵機１を移動させる場合には、図６に鎖線にて示すようにハンドル１７をタンク３内下部から水平に引き出した後、これを回動支点１８を中心として実線にて示す持ち運び位置まで矢印方向に回動させて操作し易い角度に傾ければ、このハンドル１７を操作して集塵機１を楽な姿勢で移動させることができる。尚、図７に示すように、ハンドル１７を伸縮可能なものとすれば、集塵機１の移動に際してハンドル１７を引き伸ばすことによって集塵機１を一層楽な姿勢で移動させることができる。
【００６５】
＜実施の形態５＞
次に、本発明の実施の形態５を図８に基づいて説明する。
【００６６】
図８は本発明の実施の形態５に係る集塵機の側面図であり、本図においては図１〜図３に示したものと同一要素には同一符号を付しており、以下、それらについての再度の説明は省略する。
【００６７】
本実施の形態は、ハンドル１７をヘッド部２に回動支点１８を中心として回動可能に設けるとともに、該ハンドル１７を水平状態として回動支点１８と共にヘッド部２内に格納することができるように構成したことを特徴としており、他の構成は前記実施の形態４に係る集塵機のそれと同じである。
【００６８】
而して、ハンドル１７が格納位置にあるときには、該ハンドル１７は図８に鎖線にて示すように水平な状態でヘッド部２内に格納される。このようにハンドル１７を使用しない場合には、該ハンドル１７をヘッド部２内に格納するようにしたため、コード収納部１２に対するコード１１の巻き付け及び巻き戻しにハンドル１７が邪魔になることがなく、コード１１を作業性良く巻き付け或は取り出すことができる。又、集塵作業中においてもハンドル１７が外部に露出することがないため、該ハンドル１７が集塵作業の邪魔になることがない。
【００６９】
そして、集塵機１を移動させる場合には、図８に鎖線にて示すようにハンドル１７をヘッド部２から水平に引き出した後、これを回動支点１８を中心として矢印方向に実線似て示す持ち運び位置まで回動させて操作し易い角度に傾ければ、このハンドル１７を操作して集塵機１を楽な姿勢で移動させることができる。
【００７０】
＜実施の形態６＞
次に、本発明の実施の形態６を図９に基づいて説明する。
【００７１】
図９は本発明の実施の形態６に係る集塵機の側面図であり、本図においては図１〜図３に示したものと同一要素には同一符号を付しており、以下、それらについての再度の説明は省略する。
【００７２】
本実施の形態は、タンク３にロープ等の可撓性ハンドル１９を設け、該可撓性ハンドル１９をタンク３の外周に巻き付けて格納するよう構成したことを特徴としており、可撓性ハンドル１９の端部（自由端）には操作用のリング２０が取り付けられている。他の構成は図１〜図８に示したものと同じである。
【００７３】
而して、本実施の形態では、集塵機１の移動に際しては、タンク３の外周に巻き付けて格納されていた可撓性ハンドル１９を取り出し、その端部に取り付けられたリング２０を持って可撓性ハンドル１９を引くことによって集塵機１を楽な姿勢で移動させることができる。そして、可撓性ハンドル１９をタンク３の外周に巻き付けて格納すれば、コード収納部１２に対するコード１１の巻き付け及び巻き戻しに可撓性ハンドル１９が邪魔になることがないため、コード１１を作業性良く巻き付け或は取り出すことができる。尚、可撓性ハンドル１９をタンク３内に収納する構成としても良い。
【図面の簡単な説明】
【００７４】
【図１】本発明の実施の形態１に係る集塵機の一部を破断して示す側面図である。
【図２】本発明の実施の形態１に係る集塵機の背面図である。
【図３】本発明の実施の形態１に係る集塵機の平面図である。
【図４】本発明の実施の形態２に係る集塵機の側面図である。
【図５】本発明の実施の形態３に係る集塵機の側面図である。
【図６】本発明の実施の形態４に係る集塵機の側面図である。
【図７】本発明の実施の形態４に係る集塵機の変形例を示す側面図である。
【図８】本発明の実施の形態５に係る集塵機の側面図である。
【図９】本発明の実施の形態６に係る集塵機の側面図である。
【符号の説明】
【００７５】
１              集塵機
２              ヘッド部
３              タンク
４，５          キャスタ（回転部材）
６              モータ
６ａ            モータの出力軸
７              集塵ファン
８              スイッチパネル
９              排出口
１０            把手
１１            コード
１２            コード収納部
１３            フィルタ
１４            ダクトホース
１５            ホース接続口
１６            クランプ
１７            ハンドル
１７ａ，１７ｂ  パイプ材
１８            回動支点
１９            可撓性ハンドル
２０            リング
【図１】
2008284241.tif 000003
【図２】
2008284241.tif 000004
【図３】
2008284241.tif 000005
【図４】
2008284241.tif 000006
【図５】
2008284241.tif 000007
【図６】
2008284241.tif 000008
【図７】
2008284241.tif 000009
【図８】
2008284241.tif 000010
【図９】
2008284241.tif 000011